(57)【要約】【課題】包装箱がパウチ状の商品やカード状の商品を縦列状態で収容する箱の場合、商品の数が減ってくると包装箱内で商品が倒れ、商品の視認性が悪くなるだけではなく、店頭での見栄えも悪くなる。【解決手段】蓋１６は、折り線１６１を境に根元側に位置する基部と、折り線１６１を境に先側に位置するフラップ部とを含み、折り線１６１は、基部及びフラップ部を折り曲げた際にフラップ部の後辺から突出する円弧舌片１６ｔを形成するための切込みを含んでいる。背板１５には、基部を背板１５の内面に対向するように折り畳み、かつ、フラップ部を基部から水平に前方に延びるように折り曲げた際に、円弧舌片１６ｔを差し込むための下部切込みが形成されている。フラップ部を基部から水平に前方に延びるように折り曲げ、円弧舌片１６ｔを下部切込みに挿入することによって、フラップ部が商品倒れ防止板として機能する。【選択図】図１４
2020040716.tif 000002
【特許請求の範囲】
【請求項１】
四辺を有する底板と、前記底板の四辺からそれぞれ垂直に立ち上がり、隣接辺同士が接続されている前板、左側板、右側板及び背板と、前記背板の上辺に折り曲げ可能に連設され、箱の上面を覆うための蓋とを含み、前記蓋を閉めた状態において、商品を収容して運搬や保管が行える包装箱であって、
前記蓋には、２つ折りにするための折り線が形成されており、
前記蓋は、商品陳列時において、前記背板の上辺から上方へ立ち上がり、前記折り線に沿って折り畳まれたポップ態様、又は、前記背板の上辺から背板内面に対向するように折り畳まれ、かつ、前記折り線に沿って蓋の先側が前方へ折り返された倒れ防止態様に、選択使用することができることを特徴とする、商品陳列用包装箱。
【請求項２】
前記蓋は、前記折り線を境に根元側に位置する基部と、前記折り線を境に先側に位置するフラップ部とを含み、前記折り線は、前記基部及びフラップ部を折り曲げた際に前記フラップ部の後辺から突出する円弧舌片を形成するための切込みを含んでおり、
前記背板には、前記蓋をポップ態様で使用する際に、前記フラップ部の先端辺を係止するための上部切込みと、
前記上部切込みよりも下方位置に、前記基部を前記背板の内面に対向するように折り畳み、かつ、前記フラップ部を前記基部から水平に前方に延びるように折り曲げた際に、前記円弧舌片を差し込むための下部切込みとが形成されていることを特徴とする、請求項１に記載の商品陳列用包装箱。
【請求項３】
前記基部を前記背板の内面に対向するように折り畳み、かつ、前記フラップ部を前記基部から水平に前方に延びるように折り曲げ、前記円弧舌片を前記下部切込みに挿入することによって、前記フラップ部が商品倒れ防止板として機能することを特徴とする、請求項２に記載の商品陳列用包装箱。
【請求項４】
前記下部切込みは、上方または下方へゆるく凸湾曲するように左右方向へ延びる切込みであることを特徴とする、請求項２または３に記載の商品陳列用包装箱。
【請求項５】
前記左右側板には、前記前板の左右両側から、前記左側板及び前記右側板の各上辺後端部に向かってそれぞれ斜めに延びる左右一対のジッパーラインが形成されており、
前記ジッパーラインを破断することによって、前記包装箱の左右前方側を露出させることができる、請求項１〜４のいずれか一項に記載の商品陳列用包装箱。
【請求項６】
前記前板には、その下辺から所定長さ上方寄りの位置に左右方向に延びる基線が設けられ、当該基線に沿って折り曲げ可能に区画された前ポップが設けられていることを特徴とする、請求項５に記載の商品陳列用包装箱。
【請求項７】
前記前ポップは、前記基線から上方へ延びる第１ポップ部と、前記第１ポップ部から上方へ延びる第２ポップ部と、前記第１ポップ部及び第２ポップ部の境に形成された折り線と、前記第２ポップ部の上辺から円弧状に突出する差し込み用舌片とを含み、
前記基線に沿って、前記舌片を挿入可能な切込みが形成されていることを特徴とする、請求項６に記載の商品陳列用包装箱。
【請求項８】
前記前ポップは、前記前板に形成されており、前記基線を除く輪郭が破断線によって囲まれていることを特徴とする、請求項７に記載の商品陳列用包装箱。
【発明の詳細な説明】
【技術分野】
【０００１】
本発明は、商品を収容して運搬や保管を行う包装箱であって、小売店の陳列棚等に載置し、開封してそのまま商品展示箱として使用する包装箱に関する。
【背景技術】
【０００２】
この種の包装箱として、特許文献１に記載の展示用包装箱、特許文献２に記載の表示機能付包装箱、及び特許文献３に記載のディスプレイ兼用カートンが公知である。
【先行技術文献】
【特許文献】
【０００３】
【特許文献１】特許第５１７３３７６号公報
【特許文献２】特許第４４９６０１７号公報
【特許文献３】特許第４１７５７１３号公報
【発明の概要】
【発明が解決しようとする課題】
【０００４】
包装箱がパウチ状の商品やカード状の商品を縦列状態で収容する箱の場合、商品の数が減ってくると包装箱内で商品が倒れ、商品の視認性が悪くなるだけではなく、店頭での見栄えも悪くなる等の課題がある。
本発明は、上記の課題を解決するためになされたもので、パウチ状又はカード状の厚みのうすい個包装商品を縦に整列状態で収容して運搬や保管を行え、かつ、開封して商品の陳列・展示に使用可能な包装箱を提供することを主たる目的とする。
【課題を解決するための手段】
【０００５】
本発明は、上記目的を達成するために、請求項１記載の発明は、四辺を有する底板と、前記底板の四辺からそれぞれ垂直に立ち上がり、隣接辺同士が接続されている前板、左側板、右側板及び背板と、前記背板の上辺に折り曲げ可能に連設され、箱の上面を覆うための蓋とを含み、前記蓋を閉めた状態において、商品を収容して運搬や保管が行える包装箱であって、前記蓋には、２つ折りにするための折り線が形成されており、前記蓋は、商品陳列時において、前記背板の上辺から上方へ立ち上がり、前記折り線に沿って折り畳まれたポップ態様、又は、前記背板の上辺から背板内面に対向するように折り畳まれ、かつ、前記折り線に沿って蓋の先側が前方へ折り返された倒れ防止態様に、選択使用することができることを特徴とする、商品陳列用包装箱である。
【０００６】
請求項２記載の発明は、前記蓋は、前記折り線を境に根元側に位置する基部と、前記折り線を境に先側に位置するフラップ部とを含み、前記折り線は、前記基部及びフラップ部を折り曲げた際に前記フラップ部の後辺から突出する円弧舌片を形成するための切込みを含んでおり、前記背板には、前記蓋をポップ態様で使用する際に、前記フラップ部の先端辺を係止するための上部切込みと、前記上部切込みよりも下方位置に、前記基部を前記背板の内面に対向するように折り畳み、かつ、前記フラップ部を前記基部から水平に前方に延びるように折り曲げた際に、前記円弧舌片を差し込むための下部切込みとが形成されていることを特徴とする、請求項１に記載の商品陳列用包装箱である。
【０００７】
請求項３記載の発明は、前記基部を前記背板の内面に対向するように折り畳み、かつ、前記フラップ部を前記基部から水平に前方に延びるように折り曲げ、前記円弧舌片を前記下部切込みに挿入することによって、前記フラップ部が商品倒れ防止板として機能することを特徴とする、請求項２に記載の商品陳列用包装箱である。
請求項４記載の発明は、前記下部切込みは、上方または下方へゆるく凸湾曲するように左右方向へ延びる切込みであることを特徴とする、請求項２または３に記載の商品陳列用包装箱である。
【０００８】
請求項５記載の発明は、前記左右側板には、前記前板の左右両側から、前記左側板及び前記右側板の各上辺後端部に向かってそれぞれ斜めに延びる左右一対のジッパーラインが形成されており、前記ジッパーラインを破断することによって、前記包装箱の左右前方側を露出させることができる、請求項１〜４のいずれか一項に記載の商品陳列用包装箱である。
【０００９】
請求項６記載の発明は、前記前板には、その下辺から所定長さ上方寄りの位置に左右方向に延びる基線が設けられ、当該基線に沿って折り曲げ可能に区画された前ポップが設けられていることを特徴とする、請求項５に記載の商品陳列用包装箱である。
請求項７記載の発明は、前記前ポップは、前記基線から上方へ延びる第１ポップ部と、前記第１ポップ部から上方へ延びる第２ポップ部と、前記第１ポップ部及び第２ポップ部の境に形成された折り線と、前記第２ポップ部の上辺から円弧状に突出する差し込み用舌片とを含み、前記基線に沿って、前記舌片を挿入可能な切込みが形成されていることを特徴とする、請求項６に記載の商品陳列用包装箱である。
【００１０】
請求項８記載の発明は、前記前ポップは、前記前板に形成されており、前記基線を除く輪郭が破断線によって囲まれていることを特徴とする、請求項７に記載の商品陳列用包装箱である。
【発明の効果】
【００１１】
本発明によれば、運搬、保管時は、直方体状の箱であるから、商品、特にパウチ状又はカード状の商品を効率的に収容できる。
また、本発明の包装箱は、前板の基線に沿って折り曲げ可能な前ポップが設けられ、かつ、蓋を後ポップとして利用できるから、収容した商品を見映え良く展示、陳列することができる。
【００１２】
しかも、収容した商品の数が減ってきた場合は、蓋を商品の倒れ防止材として利用でき、収容された商品の整列状態が維持でき、商品の数が減っても最後まで商品を見映え良く展示、陳列することができる。
【図面の簡単な説明】
【００１３】
【図１】本発明の一実施形態に係る商品陳列用包装箱１０の斜視図である。
【図２】商品陳列用包装箱１０の正面図である。
【図３】商品陳列用包装箱１０の右側面図である。
【図４】商品陳列用包装箱１０の左側面図である。
【図５】商品陳列用包装箱１０の背面図である。
【図６】商品陳列用包装箱１０の平面図である。
【図７】商品陳列用包装箱１０の底面図である。
【図８】商品陳列用包装箱１０の展開図である。
【図９】蓋を開いた状態の商品陳列用包装箱１０の斜視図である。
【図１０】商品陳列用包装箱１０を開封して、パウチ商品の展示・陳列箱とした状態の一例を示す斜視図である。
【図１１】図１０に示す使用態様の商品陳列用包装箱１０を、パウチ商品の倒れ防止機能を発揮する使用態様に変形する手順を示す図解的な側面断面図である。
【図１２】倒れ防止態様にした商品陳列用包装箱１０の斜視図である。
【図１３】倒れ防止態様にした商品陳列用包装箱１０の平面図である。
【図１４】倒れ防止態様にした商品陳列用包装箱１０の図解的な側面断面図である。
【図１５】本発明の他の実施形態に係る商品陳列用包装箱１０Ａを開封して、展示・陳列箱とした状態の斜視図である。
【図１６】商品陳列用包装箱１０Ａの展開図である。
【図１７】本発明のさらに他の実施形態に係る商品陳列用包装箱１０Ｂを開封して、展示・陳列箱とした状態の一例を示す斜視図である。
【図１８】商品陳列用包装箱１０Ｂの展開図である。
【図１９】本発明の他の実施形態に係る商品陳列用包装箱１０Ｃを開封して、展示・陳列箱とした状態の一例を示す斜視図である。
【図２０】商品陳列用包装箱１０Ｃの展開図である。
【発明を実施するための形態】
【００１４】
以下では、図面を参照して、本発明の実施形態について具体的に説明をする。
図１は、本発明の一実施形態に係る商品陳列用包装箱１０の一例を示す斜視図である。また、図２、図３、図４、図５、図６及び図７は、それぞれ、商品陳列用包装箱１０の正面図、右側面図、左側面図、背面図、平面図及び底面図であり、図８は、商品陳列用包装箱１０の展開図である。また、図９は、蓋を開いた状態の商品陳列用包装箱１０の斜視図である。
【００１５】
まず、図８の展開図を参照して、商品陳列用包装箱１０の構成要素について説明する。
商品陳列用包装箱１０は、所定形状に型抜きされた板紙ブランクが組み立てられて作られる。板紙ブランクには、構成要素として、長方形状の前板１２、前板１２の左辺に連設された長方形状の左側板１３、前板１２の右辺に連設された長方形状の右側板１４、右側板１４の右辺に連設された長方形状の背板１５、背板１５の上辺１５ｕに連設された蓋１６、左側板１３の下辺に連設された主底板１１Ｍ、前板１２の下辺に連設された補助底板１１Ｓ、右側板１４の下辺に連設された主底板１１Ｍ、背板１５の下辺に連設された補助底板１１Ｓ、左側板１３の上辺に連設された左フラップ１９Ｌ、右側板１４の上辺に連設された右フラップ１９Ｒ、左側板１３の左辺に連設されたのり付け片２０を有している。
【００１６】
主底板１１Ｍ，１１Ｍには、それぞれ、補助底板１１Ｓ，１１Ｓと貼り合わせるためののり付領域１１１，１１１が備えられている。
蓋１６は、基部１６Ｂ及びフラップ部１６Ｆを有しており、その境界部に、円弧舌片１６ｔを形成するための切込み１６２が入れられている。切込み１６２の左右には折り線１６１が示されている。蓋１６のフラップ部１６Ｆの先端には、折り曲げ可能なフラップ１８が設けられている。
【００１７】
背板１５には、上部切込み１５１及び下部切込み１５２が形成されている。なお、前板１２、左側板１３及び右側板１４に設けられた構成要素に関しては、後に詳しく説明することにする。構成要素の名称のみ述べると、１７Ｌ，１７Ｒはジッパーライン、１７ＦＬ，１７ＦＲは前ジッパー、２１は前ポップを示している。
図１〜図９を参照して、商品陳列用包装箱１０は、四辺を有する底板１１と、底板１１の四辺からそれぞれ垂直に立ち上がり、隣接辺同士が接続されている前板１２、左側板１３、右側板１４及び背板１５を備えている。さらに、背板１５の上辺１５ｕには、蓋１６が連設されていて、蓋１６によって包装箱１０の上開口が閉じられる。
【００１８】
図７に示すように、底板１１は、主底板１１Ｍののり付領域１１１に補助底板１１Ｓが貼り合わされ、貼り合わされた一対の主底板１１Ｍ及び補助底板１１Ｓが組み合わされることによって形成されている。
商品陳列用包装箱１０は、図９に示すように、蓋１６を開けた状態で、上開口から例えばパウチに入った複数個の商品（以下「パウチ商品」という。）Ｇを立てた状態で縦列させて収容することができる。複数個のパウチ商品Ｇを収容後、蓋１６を閉じ、パウチ商品Ｇの運搬や保管を行うための包装箱として使用できる。
【００１９】
商品陳列用包装箱１０は、また、例えば小売店の陳列台や陳列棚等に載置され、開封して、パウチ商品Ｇの展示・陳列箱としても使用できる。
商品陳列用包装箱１０は、商品の展示・陳列を行うために、以下の構成要素を備えている。
まず、図１及び図２を参照して、前板１２には、前ポップ２１が設けられている。前ポップ２１は、前板１２に形成された左破断線２１１、右破断線２１２及び上破断線２１３によって囲まれている。これら３つの破断線２１１，２１２，２１３を破断することにより、前ポップ２１は基線２１４を中心に前板１２の下部領域１２Ｄに対して折り曲げ可能となる。なお、この基線２１４は、前板１２の下辺から所定長さ上方寄りの位置に、左右方向に延びるように形成されている。
【００２０】
前ポップ２１は、略正方形状の下面部２１ｄ及び上面部２１ｕが水平方向に延びる折り線２１５で繋がった紙板体で、上面部２１ｕの上辺には、円弧状に突出形成された差込舌片２１ｔが設けられている。
前ポップ２１は、破断線２１１，２１２，２１３を破断して前板１２から切り離し、折り線２１５に沿って上面部２１ｕの裏面が下面部２１ｄの裏面と対向するように折り畳み、差込舌片２１ｔを基線２１４に沿って、基線２１４の長さ方向中央部に形成された切込み２１６に挿入することによって、活用可能となる。（図１０を参照）
なお、前ポップ２１には、通常、下面部２１ｄ及び上面部２１ｕの各表面に予めＰＯＰ広告が印刷されているのが好ましい。前ポップ２１を上記の活用可能な状態にすることによって、前ポップ２１に描かれたＰＯＰ広告付きの商品陳列用包装箱１０となる。
【００２１】
次に、図１及び図３を参照して、右側板１４には前方から後方に向かって斜め上方へ延びるジッパーライン１７Ｒが形成されている。ジッパーライン１７Ｒは、右側板１４の板面上に所定の幅を空けて形成された一対の短い切込みが、僅かの隙間を隔ててライン状に延びるように、多数対配列されて構成されている。ジッパーライン１７Ｒは、右側板１４の前方から後方に向かって破断することができ、それによって、右側板１４は、上部前部領域１４Ａと下部後部領域１４Ｂとに分離される。
【００２２】
図４を参照して、左側板１３にも、前方から後方に向かって斜め上方へ延びるジッパーライン１７Ｌが形成されている。左側板１３のジッパーライン１７Ｌは、右側板１４に形成されたジッパーライン１７Ｒと面対称に形成されている。ジッパーライン１７Ｌは、左側板１３の前方から後方に向かって破断することができ、それによって、左側板１３は、上部前部領域１３Ａと下部後部領域１３Ｂとに分離される。
【００２３】
なお、本実施形態では、ジッパーライン１７Ｒ，１７Ｌを形成する所定の幅を空けて形成された一対の短い切込み（いわゆるミシン目と称される切込み）は、「く」の字形又は「へ」の字形を例示したが、これに代えて「Ｙ」の字形や「・（ドット）」形等の任意の形状を採用することができる。
図１及び図２を参照して、前板１２には、前ポップ２１の左右両側であって、基線２１４の左右へ延びるように前ジッパー１７ＦＬ及び１７ＦＲが形成されている。前ジッパー１７ＦＬ及び１７ＦＲは、それぞれ、左側板１３のジッパーライン１７Ｌの前端及び右側板１４のジッパーライン１７Ｒの前端と繋がっている。
【００２４】
前ポップ２１を、前述した活用可能な態様に折り畳むと共に、前ジッパー１７ＦＬ及びジッパーライン１７Ｌを破断し、かつ、前ジッパー１７ＦＲ及びジッパーライン１７Ｒを破断することによって、前板１２（より詳しくは、前ポップ２１の左右及び上部を囲っていた前板１２の門状部分）並びに左側板１３の上部前部領域１３Ａ及び右側板１４の上部前部領域１４Ａを取り外し、商品陳列用包装箱１０の前方及び上方部分を開放することにより、商品陳列用包装箱１０を開封できる。
【００２５】
図１０は、商品陳列用包装箱１０を開封して、パウチ商品Ｇの展示・陳列箱とした状態の一例を示す斜視図である。
図１０に示す商品陳列用包装箱１０は、前ポップ２１が活用態様にされると共に、前述した前ジッパー１７ＦＬ，１７ＦＲ、ジッパーライン１７Ｌ，１７Ｒが破断されて商品陳列用包装箱１０の前板１２の上方部並びに左側板１３及び右側板１４の前方上部が除去されている。また、蓋１６は、基部１６Ｂが背板１５の上辺１５ｕから垂直上方へ伸び上がるように立設され、折り線１６１に沿って折り畳まれて、基部１６Ｂの裏面にフラップ部１６Ｆの裏面が対向する状態とされている。そして、フラップ部１６Ｆの先端に連設されているフラップ１８がフラップ部１６Ｆから直線状に伸ばされ、背板１５の上方位置に山形に形成された上部切込み１５１に差し込まれて係止されている。これにより、蓋１６は、フラップ部１６Ｆの表面が前方から確実に視認できる状態となり、後ポップとして機能する。蓋１６のフラップ部１６Ｆの表面には、予めＰＯＰ広告を印刷しておくことが好ましい。
【００２６】
また、開封された商品陳列用包装箱１０において、パウチ商品Ｇは立設して多数個収容されており、パウチ商品Ｇは、縦に整列した状態で陳列されている。
図１１は、図１０に示す使用態様の商品陳列用包装箱１０を、パウチ商品Ｇの倒れ防止機能を発揮する使用態様に変形する手順を示す図解的な側面断面図である。
商品陳列用包装箱１０に収容されたパウチ商品Ｇの数が減り、例えば半数以下になったとき、商品陳列用包装箱１０の使用態様が図１０に示す開封時と同じ態様であった場合、商品陳列用包装箱１０に収容されたパウチ商品Ｇは立った状態で整列することができず、前方や後方へ傾いて収容状態が乱れ、陳列の見映えが悪くなる事態が生じることがある。
【００２７】
そこで、商品陳列用包装箱１０において、蓋１６を後ポップとして使用する態様から、蓋１６を商品の倒れ防止材として使用する態様に変更する。
その手順は、図１１（Ａ）に示すように、蓋１６が後ポップとして立ち上がっている折り畳み状態から、図１１（Ｂ）に示すように、一旦、蓋１６を最初の蓋１６の状態に戻す。ついで、図１１（Ｃ）に示すように、蓋１６の中央を折り線１６１に沿って谷折れに折りつつ、蓋１６の基部１６Ｂの裏面が背板１５の内面に対向するように、蓋１６を背板１５の上辺１５ｕを中心に折り畳む。また、蓋１６のフラップ部１６Ｆから後方へ突出する円弧舌片１６ｔを、背板１５に形成された下部切込み１５２に差し込む（図１１（Ｄ））。
【００２８】
図１２及び図１３は、倒れ防止態様にした商品陳列用包装箱１０の斜視図及び平面図である。また、図１４は、倒れ防止態様にした商品陳列用包装箱１０の図解的な側面断面図である。
図１２〜図１４を参照して、蓋１６は、基部１６Ｂが背板１５の上辺１５ｕに沿って下方へ折り畳まれ、背板１５の内面に当接している。また、蓋１６のフラップ部１６Ｆは、折り線１６１に沿って、基部１６Ｂに対して谷折れになるように折り曲げられ、包装箱１０内でほぼ水平にされている。そして、フラップ部１６Ｆから後方へ突出する円弧舌片１６ｔは、背板１５の上下方向で上方寄りの位置に形成された下部切込み１５２に差し込まれ、背板１５の背面から後方へ突出している。
【００２９】
下部切込み１５２はわずかに上向きに凸湾曲した小さな曲率を有する円弧状の切込みである。このため、下部切込み１５２に差し込まれた円弧舌片１６ｔの根元には、上方向へ押し上げる力が加わり、フラップ部１６Ｆは前方へほぼ水平に保たれた状態となる。
よって、フラップ部１６Ｆの前端から下方へ垂下するフラップ１８が、収容されたパウチ商品Ｇの最後列の背面を支持し、パウチ商品Ｇの倒れを防止できる。
【００３０】
この実施形態では、下部切込み１５２を、わずかに上向きに凸湾曲した小さな曲率の円弧状とした。しかし、係る形態に代えて、直線状の形態や、下部切込み１５２を、わずかに下向きに凸湾曲した小さな曲率の円弧状の形態としてもよい。
要するに、フラップ部１６Ｆを前方に向かって略水平に突出する状態を保つ構成であればよい。
【００３１】
なお、下部切込み１５２がわずかに上向き、もしくは下向きに凸湾曲した小さな曲率の円弧状の形態である場合、下部切込み１５２に円弧舌片１６ｔを差し込んだ状態で、円弧舌片１６ｔを介してフラップ部１６Ｆに左右方向に下向き又は上向きのたわみ力が加わり、フラップ部１６Ｆの略水平方向の突出形態を保持しやすくなるため、より好ましい。
図１５は、本発明の他の実施形態に係る商品陳列用包装箱１０Ａの斜視図であり、商品陳列用包装箱１０Ａを開封して、展示・陳列箱とした状態の一例を示す斜視図である。また、図１６は、商品陳列用包装箱１０Ａの展開図である。
【００３２】
商品陳列用包装箱１０Ａが、先に説明した商品陳列用包装箱１０と異なる点は、前ポップ２１の両側に、前板１２の一部１２Ｌ，１２Ｒが存在する点である。前板１２の一部１２Ｌ，１２Ｒを残すために、ジッパーライン１７Ｌ，１７Ｒ及び前ジッパー１７ＦＬ，１７ＦＲを設ける位置が、やや上寄りの位置とされている。
その余の点については、商品陳列用包装箱１０Ａは、商品陳列用包装箱１０と同じ構成であり、同一の構成要素には同一の参照符号を付して、重複した説明は省略する。
【００３３】
図１７は、本発明のさらに他の実施形態に係る商品陳列用包装箱１０Ｂの斜視図であり、商品陳列用包装箱１０Ｂを開封して、展示・陳列箱とした状態の一例を示す斜視図である。また、図１８は、商品陳列用包装箱１０Ｂの展開図である。
商品陳列用包装箱１０Ｂが、先に説明した商品陳列用包装箱１０Ａと異なる点は、前ポップ２１の構成に関する点である。
【００３４】
図１８を参照して説明すると、商品陳列用包装箱１０Ｂは、前板１２の中央部に、正面視が縦長長方形状のくり抜き窓３１が形成されており、前ポップ２１は、前板１２の一部によって作られる構成となっていない。前板１２の下辺には、補助底板１１ｓ、一対の接続板３２及び前ポップ２１が連設されている。補助底板１１ｓと一対の接続板３２及び前ポップ２１とは分離可能になっている。
【００３５】
商品陳列用包装箱１０Ｂが組み立てられた状態では、左側板１３の下辺に連設された主底板１１Ｍののり付領域１１１に、補助底板１１ｓが貼り合わされる。一対の接続板３２及びポップ板２１は、前板１２の下辺に沿って折り曲げられ、底板１１の内底面に沿って延ばされた状態である。
図１７を参照して、商品陳列用包装箱１０Ｂを開封して、展示・陳列箱とする場合には、前板１２の窓３１をくり抜き、前ジッパー１７ＦＬ，１７ＦＲ及びジッパーライン１７Ｌ，１７Ｒを破断して、箱の上部前部を除去して開放する。そして、一対の接続板３２が前板１２の下部内面に対向するように、前板１２の下辺に沿って一対の接続板３２を折り畳み、窓３１の下辺から前方へ突出するように、前ポップ２１を折り出す。前ポップ２１には、その根元に段部３３が形成されているから、この段部３３が窓３１の両側部に係止され、前ポップ２１は前方へ突出した状態が保たれる。
【００３６】
その余の構成については、商品陳列用包装箱１０Ｂは、商品陳列用包装箱１０及び１０Ａと同じであるから、同一構成要素には同一の参照符号を付して重複した説明は省略する。
図１９は、本発明の他の実施形態に係る商品陳列用包装箱１０Ｃの斜視図であり、商品陳列用包装箱１０Ｃを開封して、展示・陳列箱とした状態の一例を示す斜視図である。また、図２０は、商品陳列用包装箱１０Ｃの展開図である。
【００３７】
商品陳列用包装箱１０Ｃが、先に説明した商品陳列用包装箱１０と異なる点は、前ポップ２１が前板１２の全幅を用いて形成されている点である。このため、前板１２には、前ジッパー１７ＦＬ，１７ＦＲが設けられていない。
その余の点については、商品陳列用包装箱１０Ｃは、商品陳列用包装箱１０と同じ構成であり、同一の構成要素には同一の参照符号を付して、重複した説明は省略する。
【００３８】
この発明は、以上説明した実施形態に限定されるものではなく、請求項記載の範囲内において、種々の変更が可能である。
【符号の説明】
【００３９】
１０    商品陳列用包装箱
１１    底板
１１Ｍ    主底板
１１Ｓ，１１ｓ    補助底板
１２    前板
１２Ｄ    前板の下部領域
１２Ｌ，１２Ｒ    前板の一部
１３    左側板
１４    右側板
１３Ａ，１４Ａ    上部前部領域
１３Ｂ，１４Ｂ    下部後部領域
１５    背板
１５ｕ    上辺
１５１    上部切込み
１５２    下部切込み
１６    蓋
１６ｔ    円弧舌片
１６Ｆ    フラップ部
１６Ｂ    基部
１６１    折り線
１７Ｌ，１７Ｒ    ジッパーライン
１７ＦＬ，１７ＦＲ    前ジッパー
１８    フラップ
１９Ｌ    左フラップ
１９Ｒ    右フラップ
２０    のり付け片
２１    前ポップ
２１ｄ    下面部
２１ｕ    上面部
２１ｔ    差込舌片
２１１    左破断線
２１２    右破断線
２１３    上破断線
２１４    基線
２１５    折り線
２１６    切込み
３１    窓
３２    接続板
３３    段部
１１１    のり付領域
１６２    切込み
Ｇ    パウチ商品
【図１】
2020040716.tif 000003
【図２】
2020040716.tif 000004
【図３】
2020040716.tif 000005
【図４】
2020040716.tif 000006
【図５】
2020040716.tif 000007
【図６】
2020040716.tif 000008
【図７】
2020040716.tif 000009
【図８】
2020040716.tif 000010
【図９】
2020040716.tif 000011
【図１０】
2020040716.tif 000012
【図１１】
2020040716.tif 000013
【図１２】
2020040716.tif 000014
【図１３】
2020040716.tif 000015
【図１４】
2020040716.tif 000016
【図１５】
2020040716.tif 000017
【図１６】
2020040716.tif 000018
【図１７】
2020040716.tif 000019
【図１８】
2020040716.tif 000020
【図１９】
2020040716.tif 000021
【図２０】
2020040716.tif 000022